(57)【要約】【課題】床支持用アジャスタ（１）の支持天板（３）で床を支持させる場合に、プラスチックの再生／再利用の妨げとなる両面接着テープを貼ることなく床鳴りを防止し、電動ドライバのトルクを高目に設定して作業したときでも確実にビス止めできるようにする。【解決手段】床支持用アジャスタ（１）の支持天板（３）に床用下地ボード（２）を載せたときに両者間にビス止めの際のネジ切りで生じる切屑（Ｋ）を溜める隙間（８）を形成するスペーサ（７）を支持天板（３）の表面に一体成形し、支持天板（３）を貫通して露出されたビスの先端で螺刻されるリブ（１０，１１）をその裏面に所定ピッチで一体成形した。【選択図】図１
2004257195.tif 000002
【特許請求の範囲】
【請求項１】
床用下地ボードを載せてビス止めする支持天板が高さ調整可能に設けられた床支持用アジャスタであって、前記支持天板に前記床用下地ボードを載せたときに両者間にビス止めの際のネジ切りで生じる切屑を溜める隙間を形成するスペーサが前記支持天板の表面に一体成形され、支持天板を貫通して露出されたビスの先端で螺刻されるリブが該支持天板の裏面に所定ピッチで一体成形されたことを特徴とする床支持用アジャスタ。
【請求項２】
床用下地ボードを載せてビス止めする支持天板が高さ調整可能に設けられた床支持用アジャスタであって、前記支持天板に前記床用下地ボードを載せたときに両者間にビス止めの際のネジ切りで生じる切屑を溜める隙間を形成するスペーサが前記支持天板の表面に一体成形されたことを特徴とする床支持用アジャスタ。
【請求項３】
床用下地ボードを載せてビス止めする支持天板が高さ調整可能に設けられた床支持用アジャスタであって、支持天板を貫通して露出されたビスの先端で螺刻されるリブが該支持天板の裏面に所定ピッチで一体成形されたことを特徴とする床支持用アジャスタ。
【発明の詳細な説明】
【０００１】
【発明の属する技術分野】
本発明は、コンクリート基礎面の上方に床面を浮かして形成する際に用いる床支持用アジャスタに関する。
【０００２】
【従来の技術】
マンションなどでは、コンクリート基礎から床面への湿気や冷気を遮断するために、また、水切り勾配が形成されているコンクリート基礎の上に、床面を水平に形成する必要があることから、コンクリート基礎から床面を浮かして形成するアジャスタフロアが採用されている。
【０００３】このアジャスタフロアは、図５に示すように、コンクリート基礎面Ｂ上に所定間隔で床支持用アジャスタ２１を配列し、高さを水平に揃えた後、その上に床用下地ボード２…を敷き詰め、必要に応じて断熱材２２や衝撃吸収材２３を重ね、最表層に床面仕上材２４が張り付けられて形成されている。
【０００４】ここで、床支持用アジャスタの天板の高さを水糸にそろえるのが困難なことから、本発明者は高さ指標を備えた床支持用アジャスタを提案した（特許文献１参照）。
【０００５】
【特許文献１】特開２００２−２２７３７９号公報
【０００６】図６はこの床支持用アジャスタ２１を示す説明図であって、コンクリート基礎面Ｂに立てられる脚柱２５の頭部に形成されたボルトネジ２６が、床用下地ボード２を載せる支持天板２７に形成されたナット２８に螺合され、支持天板２７に、水糸Ｓの高さに合せる指標を形成した高さ調整ピン２９を立設させる嵌込孔３０が形成されると共に、前記高さ調整ピン２９が脆弱部３１を介して剥取可能に一体形成されている。
【０００７】このアジャスタ２１を一列分並べ、支持天板２７の上に一列分の床用下地ボード２を敷いてビス止めした後、その端縁に沿って水糸を張り、高さ調整ピン２９を剥ぎ取って嵌合孔３０に立て、そのピン２９に形成された指標と水糸の高さが一致するようにボルトネジ２６を回転させれば、天板２７を正確且つ簡単に高さ調整することができる。
高さ調整終了後は、そのピン２９を抜いてしまえば、次の列の下地ボード２を敷くときに邪魔になることもない。
【０００８】しかしながら、このようにして床用下地ボード２を固定した場合に、床鳴りやガタつきが生ずるという問題点が発生した。
発明者が実験したところ、床用下地ボード２を支持天板２７にビス止めする際に、床用下地ボード２を削った切屑Ｋが該ボード２を貫通した穴から下方に排出され、また、支持天板２７を削った切屑Ｋが回転するビス３２のネジ溝に案内されて上方に押し出されて、図７に示すように、床用下地ボード２と支持天板２７の間に押し込まれ、この切屑Ｋによりガタつきを生じたり、切屑Ｋと下地ボード２と支持天板２７が互いに擦れたりすることが原因であることが判明した。
【０００９】そこで、図８に示すように、支持天板２７の表面に床用下地ボード２の仮止めを兼ねて両面粘着テープ３３を貼ってみたところ、粘着テープ３３がその厚さ相当のクッション材として機能し、ネジ穴から出た切屑Ｋがその粘着テープ３３内に押し込まれるため、切屑Ｋによりガタつきを生じたり、切屑Ｋと下地ボード２と支持天板２７が互いに擦れたり互いに擦れることもなく、床鳴りもしなくなった。
【００１０】
【発明が解決しようとする課題】
しかしながら、建造物の建替えや室内改装に伴い床用下地ボード２を撤去したり交換する必要が生じた場合に、床支持用アジャスタ２１の支持天板２７に両面粘着テープ３３が貼ってあると、支持天板２７に用いられたプラスチックを簡単には再生／再利用することができないという問題を生ずる。
すなわち，再生／再利用するためには両面粘着テープ３３を支持天板２７からきれいに剥がす必要があるが、長年使用していると糊が強固に錨着して簡単には剥がすことができず、薬品等を使用するとコストが嵩むだけでなく、その廃液処理の問題が生ずる。
【００１１】一方、最近では建築工事の作業の率を向上させるためパワーの大きな電動工具が用いられているが、床用下地ボード２を支持天板２７にビス止めする際にも電動ドライバが使用される。
そして作業を急ぐあまりドライバトルクを高めに設定すると、ビス３２が高速で回転し、支持天板２７を貫通する際に生じる摩擦熱で支持天板２７にあけたネジ穴が溶けてビス３２が効かなくなり、下地ボード２を確りとアジャスタ２１に固定できないという問題を生じた。
【００１２】そこで本発明は、両面接着テープを貼ることなく床鳴りしないようにしてプラスチックを再生／再利用する妨げにならないようにし、電動ドライバのトルクを高目に設定して作業したときでも、確実にビス止めにより下地ボードをアジャスタ２１に固定できるようにすることを技術的課題としている。
【００１３】
【課題を解決するための手段】
この課題を解決するために、本発明は、床用下地ボードを載せてビス止めする支持天板が高さ調整可能に設けられた床支持用アジャスタであって、前記支持天板に前記床用下地ボードを載せたときに両者間にビス止めの際のネジ切りで生じる切屑を溜める隙間を形成するスペーサが前記支持天板の表面に一体成形され、支持天板を貫通して露出されたビスの先端で螺刻されるリブが該支持天板の裏面に所定ピッチで一体成形されたことを特徴とする。
【００１４】本発明によれば、支持天板の表面に、例えば、スペーサとして縦横に走る所定ピッチの凸条を形成すると、前記支持天板に前記床用下地ボードを載せたときに両者間にビス止めの際のネジ切りで生じる切屑を溜める隙間が形成される。
ここで、床用下地ボードを固定する際にビスを立てても、ネジ切りで生じる切屑がその隙間に溜まることとなり、切屑が下地ボードと支持天板の間に挟まってガタつきを生じたり、切屑と下地ボードと支持天板が互いに擦れたりすることもない。
これにより、表面に両面粘着テープを貼らなくても床鳴りを起こすことがなく、建造物の建替えや室内改装に伴い床用下地ボードを撤去したり交換する必要が生じた場合も、床支持用アジャスタの支持天板から両面粘着テープを剥がすまでもなく、支持天板に用いられたプラスチックを容易に再生／再利用できる。
【００１５】また、支持天板の裏面に、例えば、ビスの外径以下の幅のリブをビスの外径以下の間隔で形成すれば、支持天板を貫通したビスは必ずその側面がリブの側面に接触して、その側面を螺刻することとなる。
このとき、リブの側面を螺刻している間、ビス側面はその一部が必ず露出されているので、摩擦熱が逃がされ、リブに形成さえるネジが溶けることはない。
したがって、支持天板のネジ穴が摩擦熱で溶けることがあっても、ビスとリブが噛み合って床用下地ボードがアジャスタに確りと固定される。
【００１６】
【発明の実施の形態】
以下、本発明の実施の形態を図面に基づいて具体的に説明する。
図１は本発明に係る床支持用アジャスタを示す断面図、図２は使用状態を示す説明図、図３は支持天板の平面図、図４は支持天板の底面図である。
【００１７】本例の床支持用アジャスタ１は、コンクリート基礎面Ｂから床面を浮かして形成する際に用いるもので、床用下地ボード２を載せてビス止めする樹脂製支持天板３の中央に樹脂製パイプナット４が一体成形され、コンクリート基礎面Ｂに立てられる脚柱５に形成されたボルトネジ６と螺合されて、高さ調整可能に形成されている。
【００１８】支持天板３の表面側には、前記床用下地ボード２を載せたときに両者間にビス止めの際のネジ切りで生じる切屑Ｋを溜める隙間８を形成する凸条（スペーサ）７…が縦横に所定間隔で一体成形されている。
すなわち，凸条７…により床用下地ボード２が支持天板３から所定高さ浮かせた状態に支持され、これにより、隙間８が形成される。
なお、本例では、支持天板３が約９０×１２０ｍｍの大きさに形成され、床用下地ボード２を止めるビス９の外径が４ｍｍであったときに、前記凸条７はその幅がビス外径よりも小さい３ｍｍ程度、高さ３ｍｍで、１０〜３０ｍｍ間隔で縦横に形成されている。
【００１９】支持天板３の裏面側には、支持天板３を貫通して露出されたビス９の先端で螺刻されるリブ１０…、１１…が縦横に所定ピッチで一体成形されている。
なお、本例では、前記リブ１０、１１は、いずれもその幅及び間隔がビス外径よりも小さい３ｍｍ幅、３ｍｍ間隔で形成され、横（長手）方向に延びるリブ１０が高さ５ｍｍ程度、縦方向に延びるリブ１１が高さ７ｍｍ程度に形成されている。
【００２０】以上が本発明の一例構成であって、次にその作用を説明する。
まず、図２に示すように、床支持用アジャスタ１を一列分並べて、支持天板３の上に一列分の床用下地ボード２を敷いて順次ビス止めしていく。
この場合に、個々の支持天板３の表面側には、凸条（スぺーサ）７…が縦横に所定間隔で一体成形されているので、床用下地ボード２を支持天板３に載せたときに、下地ボード２は凸条７により支持され、凸条７，７間には、下地ボード２と支持天板３との間に隙間８が形成される。
【００２１】したがって、床用下地ボード２を支持天板３に載せてビス９を立てるときに床用下地ボード２を削った切屑Ｋが該ボード２を貫通した穴から下方に排出され、支持天板３を削った切屑Ｋが回転するビス９のネジ溝に案内されて上方に押し出されても、これらの切屑Ｋは隙間８に溜まる。
したがって、これらの切屑Ｋが下地ボード２と支持天板３の間に挟まってガタつきを生じたり、切屑Ｋと下地ボード２と支持天板３が互いに擦れたりすることもない。
これにより、表面に両面粘着テープを貼らなくても床鳴りを起こすことがなく、建造物の建替えや室内改装に伴い床用下地ボード２を撤去したり交換する必要が生じた場合も、床支持用アジャスタ１の支持天板３から両面粘着テープを剥がすまでもなく、支持天板３に用いられたプラスチックを容易に再生／再利用することができる。
【００２２】なお本例では、凸条７の幅が３ｍｍ程度と、ビス９の外径４ｍｍより狭く形成されているので、ビス９が凸条７の真上から打たれたとしても、ビス９はその凸条７の両側から隙間８内に露出されるので、ビス９により開けられた穴が隙間８に連通する。
したがって、床用支持ボード２の上から隙間８を狙ってビス９を立てる必要もなく、どこにビス９を立てても切屑Ｋは隙間８内に溜まる。
【００２３】また、支持天板２の裏面には、ビス９の外径以下の幅のリブ１０がビス９の外径以下の間隔で形成されているので、支持天板２を貫通したビス９は必ずその側面がリブ１０の側面に接触して、その側面を螺刻することとなる。
このとき、ビス９が高速回転されて支持天板３を貫通する際に高温の摩擦熱を生じても、支持天板３を貫通したビス９の先端は外気に曝されて冷却される。
そして、ビス９の先端部によりリブ１０の側面を螺刻するときも、そのリブ１０に接触していない部分は外気に曝されているので、摩擦熱が生じたとしてもすぐに逃がされることとなり、リブ１０に形成されたネジがその摩擦熱で溶けることはない。
したがって、支持天板３のネジ穴が摩擦熱で溶けることがあってもリブ１０に形成されたネジにビス９が螺合されるので、床用下地ボード２はアジャスタ１に確実に固定される。
【００２４】さらに、裏面のリブ１０及び１１の交差点の中心にビス９が立てられた場合、呼び径４ｍｍのビス９の側面は両方のリブ１０及び１１から露出されない事が起こりうる。
このときは、摩擦熱が逃げないのでリブ１０、１１を設けていない支持天板にビス９を立てた場合と同様、ビス９の効きが悪くなるおそれがある。
そこで本例のように、各リブ１０、１１の高さに差を設けておけば、その交差点の中心にビス９が立てられても、低いリブ１０と高いリブ１１の高低差の部分でビス９の側面が露出されるので、摩擦熱が逃がされて確実にビス止めされる。
【００２５】なお、スペーサとして凸条７を形成する場合について説明したが、本発明はこれに限らず、散点状の突起など、床用下地ボード２を浮かせた状態に支持できる形状であれば良い。
【００２６】
【発明の効果】
以上述べたように、本発明によれば、支持天板に両面接着テープを貼らなくても床鳴りを起こすことがなく、建造物の建替えや室内改装に伴い床用下地ボードを撤去したり交換する必要が生じた場合に、床支持用アジャスタの支持天板から両面粘着テープを剥がすまでもなく、支持天板に用いられたプラスチックを容易に再生／再利用することができるという大変優れた効果を奏する。
また、支持天板を貫通したビスの側面が外気に曝されて摩擦熱が逃がされるので、そのビス側面でリブの側面を螺刻する際にそのネジが摩擦熱により溶けることが起こりにくく、支持天板のネジ穴が摩擦熱で溶けることがあってもリブに形成されたネジにビスが螺合され、床用下地ボードがアジャスタに確実に固定されるという優れた効果もある。
【図面の簡単な説明】
【図１】本発明に係る床支持用アジャスタを示す断面図。
【図２】使用状態を示す説明図。
【図３】支持天板の平面図。
【図４】支持天板の底面図。
【図５】アジャスタフロアの構造説明図。
【図６】従来の床支持用アジャスタを示す斜視図。
【図７】その断面図。
【図８】改良型床支持用アジャスタの断面図。
【符号の説明】
１………床支持用アジャスタ
Ｂ………コンクリート基礎面
２………床用下地ボード
３………支持天板
５………脚柱
７………凸条（スぺーサ）
８………隙間
９………ビス
１０，１１………リブ
【図１】
2004257195.tif 000003
【図２】
2004257195.tif 000004
【図３】
2004257195.tif 000005
【図４】
2004257195.tif 000006
【図５】
2004257195.tif 000007
【図６】
2004257195.tif 000008
【図７】
2004257195.tif 000009
【図８】
2004257195.tif 000010